(57)【要約】【課題】効率的に、かつ、瞬間的で排ガス中のダイオキシンの再反応を抑制する一方、排ガス中の有害物質などを浄化する排ガス浄化方法。【解決手段】排ガスＧ中の有害物質を浄化する排ガス浄化方法である。前記排ガスＧを排出するダクト３１に設けた外筒２１内に、ドーム状の内筒２２を挿入して２重環状とする一方、前記内筒２２によって外筒２１の出口を閉止して外筒２１内の排ガスＧを前記内筒２２の壁面に設けた複数のガス流入口２８から内筒２２内に導入して攪乱させ、この攪乱によって生じた高速乱流中に前記外筒２１に設けたノズル２３より微粒化した液体Ｗを噴霧して排ガスＧと噴霧液とを接触させる。【選択図】        図２
2007000683.tif 000002
【特許請求の範囲】
【請求項１】
高温ガスを冷却する際に、前記高温ガスを排出するダクトに設けた外筒内に、ドーム状の内筒を挿入して２重環状とする一方、前記内筒によって外筒の出口を閉止して外筒内の高温ガスを前記内筒の壁面に設けた複数のガス流入口から内筒内に導入して攪乱させ、この攪乱によって生じた高速乱流中に前記外筒に設けたノズルより微粒化した液体を噴霧し、前記高温ガスの保有する熱エネルギーで噴霧液を蒸発させることを特徴とする高温ガスの冷却方法。
【請求項２】
排ガス中の有害物質を浄化する排ガス浄化方法において、前記排ガスを排出するダクトに設けた外筒内に、ドーム状の内筒を挿入して２重環状とする一方、前記内筒によって外筒の出口を閉止して外筒内の排ガスを前記内筒の壁面に設けた複数のガス流入口から内筒内に導入して攪乱させ、この攪乱によって生じた高速乱流中に前記外筒に設けたノズルより微粒化した液体を噴霧して排ガスと噴霧液とを接触させることを特徴とする排ガス浄化方法。
【請求項３】
前記噴霧液として耐熱性の無機質造膜剤を溶解させた水溶液を使用し、該水溶液の噴霧時に発生した膜状物によって排ガス中の有害物質を捕捉することを特徴とする請求項２記載の排ガス浄化方法。
【請求項４】
排ガス中の有害物質を浄化する排ガス浄化装置において、前記排ガスを排出するダクトに設けた外筒内に、先端が閉止され、かつ、壁面に複数のガス流入口を有するドーム状の内筒を挿入して２重環状とする一方、前記内筒によって前記外筒の出口を閉止させ、更に、前記外筒に前記各ガス流入口に対峙する噴霧ノズルを設けたことを特徴とする排ガス浄化装置。
【請求項５】
前記内筒の側面にガス流入口を多段に設け、かつ、各段毎に偶数箇のガス流入口を内筒の周方向に等間隔に設けたことを特徴とする請求項４記載の排ガス浄化装置。
【請求項６】
前記ガス流入口の形状を漏斗状に形成することを特徴とする請求項４記載の排ガス浄化装置。
【請求項７】
前記外筒に設けた複数の支持金具によって前記内筒を前記外筒と同心状に支持することを特徴とする請求項４記載の排ガス浄化装置。
【発明の詳細な説明】
【技術分野】
【０００１】
本発明は、高温ガスの冷却方法、特に、排ガスの中に含まれているダイオキシンなどの有害物質を浄化する排ガス浄化方法及び装置に関するものである。
【背景技術】
【０００２】
従来、一般家庭から出る生ゴミなどの一般ごみや、産業廃棄物などの廃棄物を焼却炉で燃焼させ、焼却炉から排出される排ガスを熱交換器に通して温度降下させ、この温度降下した排ガスを洗浄塔及び／又は除塵器で浄化し、浄化した排ガスを、再度、温度上昇させて触媒反応器に流通させ、この触媒反応器で排ガス中の窒素酸化物、含ハロゲン、含硫黄、含窒素系を含む有機化合物、シアン系化合物やダイオキシン等の有機塩素系化合物などの有害物質を分解処理することが知られている（例えば、特許文献１参照。）。
【特許文献１】特開２０００−２８８３５３号公報
【発明の開示】
【発明が解決しようとする課題】
【０００３】
しかしながら、高温下（例えば、８００℃以上）で分解したダイオキシン（ＤＸＮ）の分解物を含んだ排ガスは、上記の如き、各種の処理装置を経由して大気中に排出される過程において、ダイオキシンが再合成されることが問題になっている。
【０００４】
従って、ダイオキシンが再合成する前に急速冷却（例えば、１００℃以下に急速冷却）を行って低温化し、再反応を凍結することがダイオキシンの再発生を抑制する上で必須の要件となっている。
【０００５】
このため、高温（例えば、９００〜１０００℃）の排ガスに対して水噴霧冷却を行い、大量の排ガスを均質、かつ、瞬間的に低温化することが求められている。更に、この噴霧用の水溶液として、排ガス中の塩素イオンなどを取り込むための水性造膜性無機化合物を溶解させた水溶液を使用することが、単なる水冷却の場合に比べてダイオキシンの再発生を抑制する効果が格段に大きくなると言われている。
【０００６】
このため、排ガス中のダイオキシン分解物（例えば、塩素イオンなど）と、耐熱性の水性造膜性無機化合物との接触反応を高め、その反応を省スペースで、かつ、効率的に、しかも、短時間で行うための手だてが必要となる。
【０００７】
排ガスを急速冷却する従来の急速冷却装置は、可なり容積が大きく、装置全体として大規模なものであった。この急速冷却装置を排ガスダクト内にインライン（ＩＮ  ＬＩＮＥ）化し、ダクトの一部として装置の中に組み込むことができれば、装置の小型化が可能となり、コスト的にも有利となる。
【０００８】
本発明は、上記のような知見に基づいてなされたものであり、その目的とするところは、省スペースで、かつ、効率的に、しかも、瞬間的に排ガス中のダイオキシン分解物の再反応を抑制する一方、排ガス中の窒素酸化物、含ハロゲン、含硫黄、含窒素系を含む有機化合物などの有害物質などを浄化することができる高温ガスの冷却方法、排ガス浄化方法及び装置を提供することにある。
【課題を解決するための手段】
【０００９】
上記の課題を解決するため、本発明は、次のように構成されている。
【００１０】
請求項１に記載の発明に係る高温ガスの冷却方法は、高温ガスを冷却する際に、前記高温ガスを排出するダクトに設けた外筒内に、ドーム状の内筒を挿入して２重環状とする一方、前記内筒によって外筒の出口を閉止して外筒内の高温ガスを前記内筒の壁面に設けた複数のガス流入口から内筒内に導入して攪乱させ、この攪乱によって生じた高速乱流中に前記外筒に設けたノズルより微粒化した液体を噴霧し、前記高温ガスの保有する熱エネルギーで噴霧液を蒸発させることを特徴としている。
【００１１】
請求項２に記載の発明に係る排ガス浄化方法は、排ガス中の有害物質を浄化する排ガス浄化方法において、前記排ガスを排出するダクトに設けた外筒内に、ドーム状の内筒を挿入して２重環状とする一方、前記内筒によって外筒の出口を閉止して外筒内の排ガスを前記内筒の壁面に設けた複数のガス流入口から内筒内に導入して攪乱させ、この攪乱によって生じた高速乱流中に前記外筒に設けたノズルより微粒化した液体を噴霧して排ガスと噴霧液とを接触させることを特徴としている。
【００１２】
請求項３に記載の発明に係る排ガス浄化方法は、前記噴霧液として耐熱性の無機質造膜剤を溶解させた水溶液を使用し、該水溶液の噴霧時に発生した膜状物によって排ガス中の有害物質を捕捉することを特徴とする請求項２記載の排ガス浄化方法である。
【００１３】
請求項４に記載の発明に係る排ガス浄化方法は、排ガス中の有害物質を浄化する排ガス浄化装置において、前記排ガスを排出するダクトに設けた外筒内に、先端が閉止され、かつ、壁面に複数のガス流入口を有するドーム状の内筒を挿入して２重環状とする一方、前記内筒によって前記外筒の出口を閉止させ、更に、前記外筒に前記各ガス流入口に対峙する噴霧ノズルを設けたことを特徴とする排ガス浄化装置である。
【００１４】
請求項５に記載の発明に係る排ガス浄化方法は、前記内筒の側面にガス流入口を多段に設け、かつ、各段毎に偶数箇のガス流入口を内筒の周方向に等間隔に設けたことを特徴とする請求項４記載の排ガス浄化装置である。
【００１５】
請求項６に記載の発明に係る排ガス浄化方法は、前記ガス流入口の形状を漏斗状に形成することを特徴とする請求項４記載の排ガス浄化装置である。
【００１６】
請求項７に記載の発明に係る排ガス浄化方法は、前記外筒に設けた複数の支持金具によって前記内筒を前記外筒と同心状に支持することを特徴とする請求項４記載の排ガス浄化装置である。
【発明の効果】
【００１７】
上記のように、請求項１に記載の発明に係る高温ガスの冷却方法は、高温ガスを排出するダクトに設けた外筒内に、ドーム状の内筒を挿入して２重環状とする一方、前記内筒によって外筒の出口を閉止して外筒内の高温ガスを前記内筒の壁面に設けた複数のガス流入口から内筒内に導入して攪乱させ、この攪乱によって生じた高速乱流中に前記外筒に設けたノズルより微粒化した液体を噴霧し、前記高温ガスの保有する熱エネルギーで噴霧液を蒸発させるので、攪乱している高温ガスによって噴霧液が攪乱され、高温ガスと噴霧液とが瞬間的に均質に混合する。その結果、噴霧液が瞬時に蒸発して高温ガスが急速冷却される。
【００１８】
従って、高温ガス中にダイオキシン分解物が含まれている場合、ダイオキシンの再反応又は再合成を未然に防止することができる。
【００１９】
請求項２に記載の発明に係る排ガス浄化方法は、排ガスを排出するダクトに設けた外筒内に、ドーム状の内筒を挿入して２重環状とする一方、前記内筒によって外筒の出口を閉止して外筒内の排ガスを前記内筒の壁面に設けた複数のガス流入口から内筒内に導入して攪乱させ、この攪乱によって生じた高速乱流中に前記外筒に設けたノズルより微粒化した液体を噴霧して排ガスと噴霧液とを接触させるので、攪乱している高温ガスによって噴霧液が攪乱され、高温ガスと噴霧液とが瞬間的に均質に混合する。その結果、噴霧液が瞬時に蒸発して高温ガスが急速冷却される。
【００２０】
従って、排ガス中に含まれているダイオキシンの再反応又は再合成を未然に防止することができる。
【００２１】
請求項３に記載の発明に係る排ガス浄化方法は、噴霧液として耐熱性の無機質造膜剤を溶解させた水溶液を使用し、該水溶液の噴霧時に発生した膜状物によって排ガス中の有害物質を捕捉するようにしたので、排ガス中の窒素酸化物、含ハロゲン、含硫黄、含窒素系を含む有機化合物、ダイオキシン分解物などの有害物質を固定化することができる。
【００２２】
他方、請求項４に記載の発明に係る排ガス浄化装置は、排ガスを排出するダクトに設けた外筒内に、先端が閉止され、かつ、壁面に複数のガス流入口を有するドーム状の内筒を挿入して２重環状とする一方、前記内筒によって前記外筒の出口を閉止させ、更に、前記外筒に前記各ガス流入口に対峙する噴霧ノズルを設けたので、前記排ガスは、外筒から内筒内に流入するが、内筒の側面に設けた複数のガス流入口から内筒内に流入した排ガスは、内筒の内部で衝突して攪乱される。
【００２３】
この攪乱によって生じた高速乱流の中に外筒に設けたノズルから液体を噴霧すると、ノズルから噴霧された噴霧液は、排ガスの激しい渦流によって攪拌され、高温の排ガスと瞬間的に、かつ、均質に混合する。
【００２４】
このため、外筒に設けたノズルから噴霧された微粒化した液体によって高温の排ガスが急冷され、ダイオキシンの再反応又は再合成が防止される。
【００２５】
請求項５に記載の発明に係る排ガス浄化装置は、前記内筒の側面にガス流入口を多段に設け、かつ、各段毎に偶数箇のガス流入口を内筒の周方向に等間隔に設けたので、内筒の側面に設けたガス流入口から内筒内に流入した排ガスが内筒内で激しい乱流となり、外筒に設けたノズルから噴霧された微粒化した液体と瞬間的に、かつ、均質に混合する。
【００２６】
請求項６に記載の発明に係る排ガス浄化装置は、前記ガス流入口の形状を漏斗状に形成したので、排ガスが外筒から内筒内に流入し易くなる。
【００２７】
請求項７に記載の発明に係る排ガス浄化装置は、前記外筒に設けた複数の支持金具によって前記内筒を前記外筒と同心状に支持するので、内筒の振動などを防止することができる。
【発明を実施するための最良の形態】
【００２８】
以下、本発明の実施の形態を図面を用いて説明する。
【００２９】
図１は、本発明に係る排ガス浄化装置を含む廃棄物焼却設備の構成図であり、この廃棄物焼却設備１は、焼却炉２、排ガス浄化装置（ハロゲンキャッチャー）３、排ガス冷却塔（１次気水分離器）４、デミスタ（２次気水分離器）５、１次濾過器６、２次濾過器７（図４参照。）、バーナ８およびプラズマ反応装置９（図４参照。）により構成されている。
【００３０】
焼却炉１は、ロータリーキルン式の焼却炉であり、駆動手段として歯車式の駆動装置を使用している。すなわち、円筒形の焼却炉本体１１の外側に設けた大径の歯車１２と、駆動モータ１３の回転軸（図示せず）に設けた小径の歯車１４とを噛合させて円筒形の焼却炉本体１１を所定の速度（例えば、３〜８ｒｐｍ）で回転させるようにしている。また、焼却炉本体１１は、その外側に前後２本のタイヤ１５，１５を有し、各タイヤ１５，１５を図示しない複数のローラによって回転自在に支持するようになっている。
【００３１】
更に、この焼却炉２は、その入口に廃棄物投入ダクト１６を有し、この廃棄物投入ダクト１６を経てホッパ１７内の廃棄物Ａを焼却炉本体１１内に供給するようになっている。また、この焼却炉２は、その入口に燃焼バーナ１８を有し、焼却炉本体１１内に供給された廃棄物（図示せず）を燃焼するようになっている。更に、この焼却炉２は、その出口に焼却灰排出部１９を設け、焼却炉本体１１内で焼却された廃棄物の焼却灰Ｂを炉外に排出するようになっている。
【００３２】
上記焼却炉本体１１は、所定の傾斜度（例えば、２／１００程度の傾斜度）を有し、入口から出口に向けて廃棄物（図示せず）の移動を容易にしている。また、焼却炉本体１１の内壁には、かき上げフィン（図示せず）を設け、焼却炉本体１１の回転によって焼却炉本体１１内の廃棄物（図示せず）を、適宜、かき上げるようになっている。
【００３３】
上記排ガス浄化装置３は、図１に示すように、外筒２１と、先端（自由端）が閉止された内筒２２と、複数の２流体ノズル２３により構成されている。また、外筒２１と内筒２２とは、２重環状に形成されている。
【００３４】
具体的に説明すると、図２に示すように、外筒２１は、円筒状の胴部２６と、その上端に設けた逆漏斗状のヘッド部２７と、胴部２６の下端に設けた逆円錐台状のボトム部２４により構成され、ヘッド部２７が排ガスダクト３１に接続している（図１参照。）。
【００３５】
他方、先端（自由端）が閉止された内筒２２は、外筒２１のボトム部２４を貫通し、その基部（出口部）は、下部チャンバ２５に接続している（図１参照。）。更に、この内筒２２は、その側面に複数のガス流入口２８を有している。これらのガス流入口２８は、内筒２２の側面にランダムに設けてもよいが、規則的に設けることが望ましい。
【００３６】
ガス流入口２８は、図２に示すように、円筒状の内筒２２の側面に多段（図２では、２段）設けられている。その上、このガス流入口２８は、各段毎に偶数箇（図２では、４箇）ずつ設けられている。更に、ガス流入口２８は、周方向に等間隔で設けられている。
【００３７】
ガス流入口２８を、上記のように配置すると、ガス流入口２８から内筒２２内に流入した排ガスＧが内筒２２内で衝突し、激しい乱流となる。
【００３８】
具体的に説明すると、排ガスダクト３１から供給された排ガスＧは、外筒２１から内筒２２内に流入するが、上記のように、ガス流入口２８から内筒２２内に流入した貫通流ａは、内筒２２の略中央で衝突し、激しい乱流となる。
【００３９】
すなわち、ガス流入口２８から内筒２２内に流入した貫通流ａは、内筒２２の略中央で衝突し、衝突点ｂを中心にして四方に拡散し、貫通流ａに引き込まれるような循環流ｃとなる。この時、内筒２２の上部に向う逆流ｄも生じる。
【００４０】
なお、上記ガス流入口２８は、図３に示すように、漏斗状に形成することにより、貫通流ａの吸い込み力が向上するようになる。
【００４１】
図２に戻って説明すると、外筒２１は、内筒２２の側面に設けたガス流入口２８に対峙する位置にそれぞれ２流体ノズル２３を設けている。更に、外筒２１に設けた複数の支持金具２９によって内筒２２を支持し、内筒２２が振動しないようにしている。
【００４２】
２流体ノズル２３は、耐熱性の無機質造膜剤（例えば、シロキサンとシラノール塩からなる水性造膜性無機化合物（以下、リキッドセラミックと称する。）を溶解させた水溶液Ｗを内筒２２内に噴霧する役目を担っている。
【００４３】
この水溶液Ｗを噴霧する噴霧ノズルとしては、空気などの高圧ガスによって水などの液を噴霧する機能を有している２流体ノズルのほか、例えば、高圧を生ずるエジェクターなどでも支障がない。要は、上記水溶液Ｗを微粒化して噴霧できるものであれば差し支えがない。
【００４４】
ここで、リキッドセラミックは、メタシリコンと硼砂や沸化ソーダ、亜鉱酸かその塩、及び濃厚アルカリ金属（Ｎａ，Ｋ，Ｌｉ）を用いて、固体と濃厚アルカリ溶液反応から製造されたものである。
【００４５】
また、リキッドセラミックは、有害物質を捕捉する性質を有し、例えば、排ガスによりバブル化し、塗膜化してコロイドフィルターとなり、次いで、残渣物（排ガス中の残渣物）の温度低下で、発泡が鎮静化し、常温に戻ると、排ガス残渣物を塗膜内に内包すると言われている（例えば、特開平１１−２６７６２５号公報）。
【００４６】
また、水溶液中のリキッドセラミックの割合は、排ガス中の有害物質の濃度にもよるが、２〜５ｗｔ％の範囲が好ましい。２ｗｔ％未満では、有害物質の捕捉が十分に行われ難い。これとは逆に、５ｗｔ％を超えると、リキッドセラミックの量が過多となり、不経済となる。
【００４７】
上記の排ガス浄化装置３は、省スペースの観点から、通常、竪型のものを使用しているが、横型にしても性能的に変わりがない。
【００４８】
図１に戻って説明すると、焼却炉２の焼却灰排出部１９と、排ガス浄化装置３の外筒２１のヘッド部２７は、略逆Ｕ状のダクト３１によって連通され、焼却炉２から排出された高温（例えば、９００℃〜１０００℃）の排ガスＧを排ガス浄化装置３に供給するようになっている。
【００４９】
上記排ガス冷却塔（１次気水分離器）４は、塔本体３２内に水冷式のラジエータ３３を有し、排ガスＧ中に含まれている水蒸気を除去するようになっている。この排ガス冷却塔４は、ダクト３４を介して排ガス浄化装置３の下部チャンバー２５に接続している。このダクト３５の先端は、水の進入を防止するため、下方に彎曲している。
【００５０】
上記デミスタ（２次気水分離器）５は、デミスター本体３５内に金網３６を積層し、排ガス冷却塔４で除去されなかった排ガスＧ中の水蒸気を除去するようになっている。
【００５１】
このデミスタ５は、排ガス冷却塔４の上部と、１次濾過器６の上部とを連通するＵ字状の配管３７の途中に設けられている。１次濾過器６は、排ガスＧ中の飛散物を捕捉するためのものであり、濾過器本体３８内にバグフィルタ（図示せず）を有している。
【００５２】
図４はプラズマ反応装置の側面図、図５はプラズマ反応装置の一部断面を含む正面図であり、プラズマ反応装置９の上流側には、２次濾過器７を設けている。この２次濾過器７は、１次濾過器６と同様に、濾過器本体３９内にバグフィルタ（図示せず）を内蔵している。
【００５３】
プラズマ反応装置９は、プラズマ発生による高エネルギー電子の衝突により、各種有害物質の反応基を破砕し、無害の物質に変化させるものであり、排ガス導入ボックス４１の上に複数本の円筒状のチューブ４２を立設している。これらのチューブ４２上方には、フード４３を設け、フード４３の上端に立設した排気筒４４から浄化された排ガスＧ”を放出するようになっている。
【００５４】
図６に示すように、金属製のチューブ４２の中には、電極４５が設けられ、両者間でプラズマを発生するようになっている。また、各チューブ４２は、図６に示すように、その内壁に沿って水ｗが流下しており、プラズマによって無害化した物質が水ｗと共に排ガス導入ボックス４１内に流下するようになっている。排ガス導入ボックス４１内の水は、ポンプ（図示せず）によって汲み上げられ、チューブ４２の上部に戻されるようになっている。
【００５５】
プラズマ反応装置９の排ガス導入ボックス４１と、２次濾過器７の下部とは、図４に示すように、ダクト４７を介して連通し、その屈曲部に排ガスの温度を所定の温度に上げるバーナ８を設けている。また、２次濾過器７の上部には、ターボブロア４８によって誘引された排ガスＧがダクト４９を経て供給されるようになっている。また、図１に示すように、１次濾過器６の下部とターボブロア４８とは、ダクト５０を介して連通している。
【００５６】
次に、焼却炉２から排出される排ガスＧの中に含まれているダイオキシンなどの有害物質を除去する方法について説明する。
【００５７】
ロータリーキルン式の焼却炉１内に投入された廃棄物Ａは、焼却炉１１の入口に設けた燃焼バーナ１８によって焼却される。廃棄物Ａの焼却によって生じた焼却灰Ｂは、焼却炉１１の出口に焼却灰排出部１９より炉外に排出される。
【００５８】
他方、廃棄物Ａの焼却によって生じた高温（例えば、９００〜１０００℃）の排ガスＧは、ダクト３１を通って排ガス浄化装置３に供給される。
【００５９】
排ガス浄化装置３に供給された排ガスＧは、図２に示すように、外筒２１から内筒２２内に流入するが、ガス流入口２８から内筒２２内に流入した貫通流ａは、内筒２２の略中央で衝突し、激しい乱流となる。
【００６０】
すなわち、ガス流入口２８から内筒２２内に流入した貫通流ａは、内筒２２の略中央で衝突し、衝突点ｂを中心にして四方に拡散し、貫通流ａに引き込まれるような循環流ｃとなる。この時、内筒２２の上方に向う逆流ｄも生じる。
【００６１】
このような複雑で、かつ、高速度の排ガス流ａ〜ｄの中に外筒２１に設けた２流体ノズル２３からリキッドセラミックを溶解させた水溶液Ｗを微粒化して噴霧すると、噴霧水溶液Ｗは、複雑で、かつ、高速の排ガス流ａ〜ｄによって攪拌され、排ガスＧと瞬間的に、かつ、均質に混合する。
【００６２】
従って、２流体ノズル２３から噴霧された微粒化した水溶液Ｗによって排ガスＧが瞬間的に急冷（例えば、９００℃から９０℃に急冷）され、ダイオキシン分解物の再反応又は再合成が防止されると同時に、リキッドセラミックを溶解させた水溶液Ｗが発泡することから、ダイオキシン分解物などの有害物質が発泡体の表面に付着し、捕捉される。
【００６３】
ダイオキシン分解物などの有害物質を捕捉した発泡体は、排ガス浄化装置３の下部にある下部チャンバー２５内に堆積する。ほぼ９０℃程度に急冷された排ガスＧは、ダクト３４を通って排ガス冷却塔（１次気水分離器）４に供給される。排ガス冷却塔４に供給された排ガスＧは、排ガス冷却塔本体３２の水冷式のラジエータ３３によって冷却され、排ガス中の余分な水蒸気が除去される。
【００６４】
排ガス冷却塔４によって余分な水蒸気が除去された排ガスＧは、デミスタ（２次気水分離器）５に供給され、最終的に排ガスＧ中の水蒸気が除去される。デミスタ５によって除湿された排ガスＧは、１次濾過器６及び２次濾過器７に供給され、排ガスＧの中に含まれている飛散物が捕捉される。
【００６５】
１次濾過器６および２次濾過器７によって濾過された排ガスＧは、バーナ８によって所定温度（例えば、７０〜９５℃程度）に再加熱された後、プラズマ反応装置９に供給される。
【００６６】
プラズマ反応装置９は、プラズマ発生による高エネルギー電子の衝突により、各種有害物質の反応基を破砕し、無害の物質に変化させるものであり、プラズマ反応装置９の下部にある排ガス導入ボックス４１内に供給された排ガスＧは、排ガス導入ボックス４１に立設した複数本のチューブ４２内を上昇する間に各チューブ４２に設けた一対の電極４５，４６間に発生するプラズマによって各種有害物質の反応基を破砕され、無害化される。
【００６７】
各種有害物質が浄化された排ガスＧ”は、プラズマ反応装置９の上部のフード４３に設けた排気筒４４から大気中に放出される。
【図面の簡単な説明】
【００６８】
【図１】本発明に係る廃棄物焼却設備の構成図である。
【図２】排ガス浄化装置の拡大断面図である。
【図３】ガス流入口の他の例を示す要部断面図である。
【図４】プラズマ反応装置の側面図である。
【図５】プラズマ反応装置の一部断面を含む正面図である。
【図６】プラズマ反応装置の作用説明図である。
【符号の説明】
【００６９】
Ｇ  排ガス
Ｗ  液体
２１  外筒
２２  内筒
２３  ノズル
２８  ガス流入口
３１  ダクト
【図１】
2007000683.tif 000003
【図２】
2007000683.tif 000004
【図３】
2007000683.tif 000005
【図４】
2007000683.tif 000006
【図５】
2007000683.tif 000007
【図６】
2007000683.tif 000008